(57)【要約】【課題】  三角柱状に組み立てた卓上カレンダーが、不安定な状態で立つことがないようにすると共に、ベースシートの両端縁部分同士を、粘着剤などで接着する際でも確実に接着できるようにした卓上カレンダーを提供する。【解決手段】  矩形状のベースシートと、ベースシートの上に備えられたカレンダー部とを有し、ベースシートを三角柱状に折り畳み、組み立てて使用する卓上カレンダーであって、ベースシートには、ベースシートを三角柱状に折り畳んだ際に底部となるベースシート片に、該ベースシート片を略中央から折るための折り畳み予定線が設けられている。また、ベースシート片には、折り畳み予定線を交差したスリットが設けられ、更に、ベースシートは、一端縁部に粘着剤層と該粘着剤層上に剥離可能に設けられた剥離紙とを有し、ベースシートを三角柱状に折り畳む際に使用する少なくとも３本の折り畳み予定線が設けられている。【選択図】        図１
2005131792.tif 000002
【特許請求の範囲】
【請求項１】
矩形状のベースシートと、前記ベースシートの上に備えられたカレンダー部とを有し、前記ベースシートを三角柱状に折り畳み、組み立てて使用する卓上カレンダーであって、
前記ベースシートには、前記ベースシートを三角柱状に折り畳んだ際に底部となるベースシート片に、該ベースシート片を略中央から折るための折り畳み予定線が設けられていることを特徴とする卓上カレンダー。
【請求項２】
前記ベースシートのベースシート片には、前記ベースシート片に設けられた折り畳み予定線と交差して、前記ベースシート片の少なくとも一部を折り込み可能に形成されたスリットが設けられていることを特徴とする請求項１記載の卓上カレンダー。
【請求項３】
前記ベースシートは、一端縁部に粘着剤層と該粘着剤層上に剥離可能に設けられた剥離紙とを有し、更に、前記ベースシートを三角柱状に折り畳む際に使用する少なくとも３本の折り畳み予定線が設けられていることを特徴とする請求項１または請求項２に記載の卓上カレンダー。
【請求項４】
前記折り畳み予定線が、折り畳み用ミシン目であることを特徴とする請求項１乃至請求項３のいずれかに記載の卓上カレンダー。
【発明の詳細な説明】
【技術分野】
【０００１】
本発明は、矩形状のベースシートを三角柱状に折り畳み、組み立てて使用する卓上カレンダーに関する。
【背景技術】
【０００２】
従来、机の上などにおいて使用する卓上カレンダーとして、ベースシートを三角柱状に折り畳むことで、カレンダーの部分を僅かに傾斜させた状態として組み立てて使用する仕様の卓上カレンダーが既に知られている。（例えば、特許文献１乃至３、参照）
【特許文献１】特開平１０−３３７９８１
【特許文献２】特開２００２−１４４７６４
【特許文献３】実用新案登録第３０５４７８９号公報
【０００３】
これらのベースシートを三角柱状に折り畳んで組み立てる仕様の卓上カレンダーでは、組み立てる際に折り畳み状態が弱いと、組み立てた卓上カレンダーの底部分が、外側に撓んだ状態となり、その卓上カレンダーを、机の上などに置いた場合に、少しの風や振動などの影響でも揺れ動いたりして安定が悪いという問題がある。
【０００４】
また、卓上カレンダーとして、矩形状のベースシートを三角柱状に折り畳んで、ベースシートの両端縁部分同士を、予めベースシートに設けられている粘着剤などで接着して組み立てる仕様の卓上カレンダーが知られているが、この卓上カレンダーの場合には、ベースシートに設けられている粘着剤により、ベースシートの両端縁部分同士を接着する際に、粘着剤を間に挟み、ベースシートの両端縁部分同士を重ね合わせて押し付けて接着することになる。
【０００５】
この場合に、矩形状のベースシートを三角柱状に折り畳んだ際の２片を、指で摘むなどして加圧して接着することが行われるが、三角柱状にした場合のベースシートの底部となるベースシート片の幅が狭いことなどから、完全な接着状態とならないことも多く、使用中にその接着部分が剥がれてしまうことがあり、ベースシートの両端縁部分同士を接着させる際に完全な状態で接着しにくいという問題がある。
【発明の開示】
【発明が解決しようとする課題】
【０００６】
本発明は、矩形状のベースシートを三角柱状に折り畳んで組み立てる卓上カレンダーが、不安定な状態で立つことがないようにすると共に、ベースシートの両端縁部分同士を、予めベースシートに設けられている粘着剤などで接着する際でも、確実に接着できるようにした卓上カレンダーを提供する。
【課題を解決するための手段】
【０００７】
本発明の卓上カレンダーは、矩形状のベースシートと、前記ベースシートの上に備えられたカレンダー部とを有し、前記ベースシートを三角柱状に折り畳み、組み立てて使用する卓上カレンダーであって、前記ベースシートには、前記ベースシートを三角柱状に折り畳んだ際に底部となるベースシート片に、該ベースシート片を略中央から折るための折り畳み予定線が設けられていることを特徴とする。
【０００８】
また、本発明の卓上カレンダーは、前記ベースシートのベースシート片には、前記ベースシート片に設けられた折り畳み予定線と交差して、前記ベースシート片の少なくとも一部を折り込み可能に形成されたスリットが設けられていることを特徴とする。
【０００９】
更に、本発明の卓上カレンダーは、前記ベースシートは、一端縁部に粘着剤層と該粘着剤層上に剥離可能に設けられた剥離紙とを有し、更に、前記ベースシートを三角柱状に折り畳む際に使用する少なくとも３本の折り畳み予定線が設けられていることを特徴とする。
【００１０】
また、本発明の卓上カレンダーは、前記折り畳み予定線が、折り畳み用ミシン目であることを特徴とする。
【発明の効果】
【００１１】
本発明の卓上カレンダーは、ベースシートを三角柱状に折り畳んだ際に底部となるベースシート片に折り畳み予定線が設けられているので、この折り畳み予定線からベースシート片を内側に折ることで、ベースシート片が外側に出っ張らないようにすることができ、三角柱状に折り畳んで組み立てた卓上カレンダーを立てた場合でも、安定した状態で立てることができ、更に、ベースシートの両端縁部分同士を、予めベースシートに設けられている粘着剤などで接着する際でも、ベースシート片に形成されている折り畳み予定線で折り畳んだ状態で、外側から指で挟んで加圧できるので、ベースシートの両端縁部分同士を確実に接着することができるという効果がある。
【００１２】
また、本発明の卓上カレンダーは、卓上カレンダーを組み立てる際に、ベースシートに形成されている折り畳み予定線から強く折り畳んで折り癖がついたとしても、ベースシート片の一部を上方に折ることで、適度な折り状態の三角柱状に矯正させることができ、組み立てた卓上カレンダーを立てた場合でも安定した状態で立てることができるという効果がある。
【００１３】
更に、本発明の卓上カレンダーは、前記ベースシートに少なくとも３本の折り畳み予定線が形成されているので、三角柱状の卓上カレンダーを作成する場合でも、簡単にベースシートを折り曲げることができ作成しやすいという効果がある。
【００１４】
また、本発明の卓上カレンダーは、前記折り畳み予定線が、折り畳み用ミシン目であることで、簡単にベースシートを折り畳むことができるという効果がある。
【発明を実施するための最良の形態】
【００１５】
以下、図面を参照しながら本発明の実施形態を詳述する。
図１は、本発明の実施形態に係る卓上カレンダーの上面側から見た場合の斜視図、図２は、図１のＡ−Ａ線断面図、図３は、本発明の実施形態に係る卓上カレンダーを折りミシン目から折り畳んだ状態を示す側面図、図４は、本発明の実施形態に係る卓上カレンダーを折りミシン目から折り畳み、ベースシートの両端縁部分同士で接着させた状態を示す側面図、図５は、本発明の実施形態に係る卓上カレンダーを組み立てた状態を示す側面図、図６は、ベースシート片に形成された円弧状のスリットから、ベースシート片の一部を上方に折り込んだ状態を示す斜視図である。
【００１６】
本発明に係る卓上カレンダー１は、矩形状のベースシート２と、このベースシート２の上に備えられたカレンダー部３とを有している。
カレンダー部３は、上から順番に、カレンダー表紙シート３ａ、シールシート３ｂ、複数枚のカレンダーシート３ｃ〜３ｆが重ねられ、それらの上端部でそれぞれ接着剤４によりベースシート２上に接着されている。
【００１７】
カレンダー表紙シート３ａには、この卓上カレンダー１を販売促進用として利用する場合に、企業名や商品ＰＲなどを印刷しておいてもよい。
また、シールシート３ｂは、剥離可能なシールを有し、スケジュール管理用のシールとして、必要に応じてカレンダーシート３ｃ〜３ｆの日にち表示部に貼付して利用できるようにしてある。
複数枚のカレンダーシート３ｃ〜３ｆには、一ヶ月単位の暦情報として日にち表示欄が、１枚のカレンダーシートに３ヶ月分づつ横並びで表示されている。
また、カレンダー部３を構成するこれらの各シートには、切り取りミシン目５がそれぞれに形成されていて、接着剤４で接着されている部分から切り取れるようにしてある。
【００１８】
ベースシート２において、カレンダー部３が備えられていない側の一端縁部には、粘着剤層６と、更にその粘着剤層６の上に剥離可能な状態で剥離紙７が設けられている。
また、ベースシート２には、ベースシート２を三角柱状に折り畳む際に使用する少なくとも３本の折り畳み予定線である折り畳み用ミシン目８ａ，８ｂ，８ｃと、ベースシート２を三角柱状に折り畳んだ場合に、底部分となるベースシート片２ａを略中央部から折るための折り畳み予定線である折り畳み用ミシン目９とが形成されている。
折り畳み用ミシン目９は、ベースシート片２ａの略中央部からベースシート片２ａを山折りするために形成されているミシン目である。
【００１９】
更に、ベースシート２のベースシート片２ａには、ベースシート片２ａに設けられた折り畳み予定線である折り畳み用ミシン目９と交差して、ベースシート片２ａの少なくとも一部を折り込み可能に形成されたスリットが設けられている。
つまり、ベースシート片２ａに形成されたスリットとして、折り畳み用ミシン目９を中心として左右対称な円弧状のスリット１０ａ，１０ｂが２つ設けられている。
この２つの円弧状のスリット１０ａ，１０ｂは、ベースシート片２ａの切り込まれた円弧状のスリット１０ａ，１０ｂの内側部分を上方に対して折り込むことで、ベースシート片２ａの一部を立てるために形成されているものである。
この２つの円弧状のスリット１０ａ，１０ｂは、卓上カレンダーのサイズなどに応じて任意に定めればよく、図面に示した円弧状のスリットの形状に限定されるものではない。
【００２０】
次に、本発明の卓上カレンダーを組み立てる際の手順を、図３乃至図６に基づいて説明する。
まず、図３に示すように、ベースシート２を３本の折り畳み用ミシン目８ａ，８ｂ，８ｃから折り畳むと同時に、ベースシート片２ａに形成されている折り畳み用ミシン目９からも折り畳む。
そして、図４に示すように、剥離紙７を粘着剤層６の上から剥離した後に、ベースシート２に設けられている粘着剤層６の部分をベースシート２の一端縁部に密着させながら、折り畳んだベースシート２を両側から指などで挟んで、内側に圧力を加える。
【００２１】
この際に、ベースシート片２ａの中央部に形成されている折り畳み用ミシン目９により、ベースシート片２ａが２つに折れ曲がるので、ベースシート２の両端縁部分同士が粘着剤層６を挟んでしっかりと押し付けることができるので、ベースシート２の両端縁部分同士が確実に接着される。
この接着時には、ベースシート片２ａの中央部に形成されている折り畳み用ミシン目９からベースシート片２ａを２つに折れ曲げた状態で、両側から指で強く押し付けるために、指を離した後でも、ベースシート片２ａに折り癖が残ることになる。
【００２２】
次に、ベースシート片２ａに折り癖を矯正して、ベースシート２を適度な三角柱状にするために、折り畳み用ミシン目９から折り畳まれた状態のベースシート片２ａの部分に指を入れて、図５に示すように、３本の折り畳み用ミシン目８ａ，８ｂ，８ｃが形成されている部分が三角柱状となるように、ベースシート片２ａを広げると共に、円弧状のスリット１０ａ，１０ｂから部分的にベースシート片２ａの一部を上方に折り上げる。
【００２３】
図６には、ベースシート片２ａにおいて、円弧状のスリット１０ａ，１０ｂから部分的にベースシート片２ａの一部を上方に折り上げた状態が示されているが、ベースシート片２ａの一部を上方に折り上げることで、ベースシート片２ａに形成されている折り畳み用ミシン目９から一旦強く折り畳んだベースシート片２ａの折り癖を適度な折り状態に矯正させることができるようにしてある。
【００２４】
組み立てられた卓上カレンダーは、図５に示すように、三角柱状となったベースシート２の底部に位置するベースシート片２ａが、ベースシート片２ａに形成されている折り畳み用ミシン目９を中心として、少しだけ盛り上がった状態となるので、組み立てられた卓上カレンダーを机などに置いた際でも、安定性が良く、ベースシート片２ａが外側に出っ張って卓上カレンダーが揺れるなどすることがない。
【産業上の利用可能性】
【００２５】
本発明に係る卓上カレンダーは、市販用のカレンダーや販売促進用のカレンダーなどとして種々の業界で広く利用される可能性がある。
【図面の簡単な説明】
【００２６】
【図１】本発明の実施形態に係る卓上カレンダーの上面側の斜視図である。
【図２】図１のＡ−Ａ線断面図である。
【図３】本発明の実施形態に係る卓上カレンダーを折り畳み用ミシン目から折り畳んだ状態を示す側面図である。
【図４】本発明の実施形態に係る卓上カレンダーを折り畳み用ミシン目から折り畳み、ベースシートの両端縁部分同士で接着させた状態を示す側面図である。
【図５】本発明の実施形態に係る卓上カレンダーを組み立てた状態を示す側面図である。
【図６】ベースシート片に形成された円弧状のスリットから、ベースシート片の一部を上方に折り込んだ状態を示す斜視図である。
【符号の説明】
【００２７】
１  卓上カレンダー
２  ベースシート
２ａ  ベースシート片
３  カレンダー部
３ａ  カレンダー表紙シート
３ｂ  シールシート
３ｃ〜３ｆ  カレンダーシート
４  接着剤
５  切り取りミシン目
６  粘着剤層
７  剥離紙
８ａ，８ｂ，８ｃ，９  折り畳み用ミシン目
１０ａ，１０ｂ  円弧状のスリット
【図１】
2005131792.tif 000003
【図２】
2005131792.tif 000004
【図３】
2005131792.tif 000005
【図４】
2005131792.tif 000006
【図５】
2005131792.tif 000007
【図６】
2005131792.tif 000008